(57)【要約】【課題】映像記録処理時にスローモーション映像またはクイックモーション映像を表示することができるようにすることを課題とする。【解決手段】撮像装置は、撮像部（２０３）と、前記撮像部からの映像データを、再生フレームレートと異なる記録フレームレートで映像記録処理を行うことが可能な映像記録手段（２０４）と、を備える撮像装置であって、前記再生フレームレートと異なる記録フレームレートで前記映像記録処理を行う場合に、前記記録フレームレートと前記再生フレームレートの比に対応する倍速率で、前記撮像部からの映像データに基づく表示画像を表示手段に順次表示するように制御する表示制御手段であって、所定のタイミングで、前記表示手段に表示される表示画像を調整する表示制御手段（２１０）を有する。【選択図】図２
2019062427.tif 000002
【特許請求の範囲】
【請求項１】
撮像部と、
前記撮像部からの映像データを、再生フレームレートと異なる記録フレームレートで映像記録処理を行うことが可能な映像記録手段と、
を備える撮像装置であって、
前記再生フレームレートと異なる記録フレームレートで前記映像記録処理を行う場合に、前記記録フレームレートと前記再生フレームレートの比に対応する倍速率で、前記撮像部からの映像データに基づく表示画像を表示手段に順次表示するように制御する表示制御手段であって、所定のタイミングで、前記表示手段に表示される表示画像を調整する表示制御手段を有することを特徴とする撮像装置。
【請求項２】
前記表示制御手段は、前記所定のタイミングで、実時間に対応する表示画像を前記表示手段に表示させるように制御することを特徴とする請求項１に記載の撮像装置。
【請求項３】
前記再生フレームレートよりも前記記録フレームレートの方が速く、スロー再生する場合に、前記表示制御手段は、前記所定のタイミングで、実時間に対応する表示画像を前記表示手段に表示させることにより、一部の期間の映像データを表示させないことを特徴とする請求項２に記載の撮像装置。
【請求項４】
前記表示制御手段は、前記所定のタイミングまでは同じ画像を表示させ、前記所定のタイミングからは、前記記録フレームレートと前記再生フレームレートの比に対応する倍速率で、前記撮像部からの映像データに基づく表示画像を順次表示するように制御することを特徴とする請求項１に記載の撮像装置。
【請求項５】
前記表示制御手段は、前記所定のタイミングから、所定のフレーム数だけ前記撮像部からの映像データに基づく表示画像を順次表示させ、その後、最後のフレームに対応する表示画像を次の前記所定のタイミングまで表示させるように制御することを特徴とする請求項４に記載の撮像装置。
【請求項６】
前記再生フレームレートよりも前記記録フレームレートの方が遅く、クイック再生する場合に、前記表示制御手段は、前記所定のタイミングまでは同じ画像を表示させ、前記所定のタイミングからは、クイック再生をするように制御することを特徴とする請求項４または５に記載の撮像装置。
【請求項７】
前記所定のタイミングは、周期的なタイミングであることを特徴とする請求項１に記載の撮像装置。
【請求項８】
前記所定のタイミングは、前記記録フレームレートに応じて決定されるタイミングであることを特徴とする請求項７に記載の撮像装置。
【請求項９】
前記所定のタイミングは、前記表示手段に表示される表示画像に対応する映像データから実時間に対応する映像データまでのフレーム数が所定量となるタイミングであることを特徴とする請求項１に記載の撮像装置。
【請求項１０】
前記所定量は、前記倍速率に応じて異なる値であることを特徴とする請求項９に記載の撮像装置。
【請求項１１】
さらに、前記撮像部からの映像データをバッファリングするバッファ手段を備え、
前記表示制御手段は、前記バッファ手段にバッファされた映像データに基づく表示画像を前記表示手段に表示させるように制御することを特徴とする請求項１に記載の撮像装置。
【請求項１２】
前記表示制御手段は、前記所定のタイミングで、実時間に対応する表示画像を前記表示手段に表示させるとともに、前記バッファ手段にバッファリングされている映像データを削除するように制御することを特徴とする請求項１１に記載の撮像装置。
【請求項１３】
前記表示制御手段は、前記再生フレームレートよりも前記記録フレームレートの方が速く、スロー再生する場合には、前記所定のタイミングで、実時間に対応する表示画像を前記表示手段に表示させるように制御し、前記再生フレームレートよりも前記記録フレームレートの方が遅く、クイック再生する場合には、前記所定のタイミングまでは同じ画像を表示させ、前記所定のタイミングからは、前記記録フレームレートと前記再生フレームレートの比に対応する倍速率で、前記撮像部からの映像データに基づく表示画像を順次表示するように制御することを特徴とする請求項１に記載の撮像装置。
【請求項１４】
撮像部と、
前記撮像部からの映像データを、再生フレームレートと異なる記録フレームレートで映像記録処理を行うことが可能な映像記録手段と、
を備える撮像装置の制御方法であって、
表示制御手段により、前記再生フレームレートと異なる記録フレームレートで前記映像記録処理を行う場合に、前記記録フレームレートと前記再生フレームレートの比に対応する倍速率で、前記撮像部からの映像データに基づく表示画像を表示手段に順次表示するように制御する表示制御手段であって、所定のタイミングで、前記表示手段に表示される表示画像を調整する表示制御ステップを有することを特徴とする撮像装置の制御方法。
【請求項１５】
コンピュータを、請求項１ないし１３のいずれか１項に記載された撮像装置の表示制御手段として機能させるためのプログラム。
【発明の詳細な説明】
【技術分野】
【０００１】
本発明は、撮像装置、撮像装置の制御方法およびプログラムに関する。
【背景技術】
【０００２】
近年、デジタルビデオカメラをはじめ、動画記録が可能な撮像装置が普及してきており、一般ユーザが簡単に動画を撮影することができるようになっている。撮像装置の中には、特殊な記録方式として可変フレーム周波数記録の機能を備えているものがある。可変フレーム周波数記録は、例えば毎秒６０フレームといった、通常のフレーム周波数に対して、高いフレーム周波数または低いフレーム周波数で撮像した動画像を記録する機能である。可変フレーム周波数記録したストリームを通常のフレーム周波数で再生すると、視覚的な演出効果が得られる。高いフレーム周波数で撮像した動画は、滑らかなスローモーションで再生される。低いフレーム周波数で撮像した動画は、クイックモーションで再生される。このような、可変フレーム周波数記録を実現する技術は、例えば特許文献１に記載されている。
【０００３】
前述した可変フレーム周波数記録は、ＣＭ撮影や映画撮影などでよく利用されてきた撮影技法である。近年、可変フレーム周波数記録可能な撮像装置を、一般ユーザが入手しやすくなってきている。また、低フレームレートの撮像機器は、撮像装置のフレーム周波数で生成される撮像フレームを所定の間隔で間引いてから符号化して記録する。これにより、撮像機器は、撮像装置のフレーム周波数の範囲よりもさらに広いクイックモーション動画（以降、「インターバル動画」と称する）を作成可能である。撮像機器は、撮像フレームの間引き方を１フレーム毎に間引いたり、所定フレーム数を連続して符号化した後にインターバルをおいて再び所定フレーム数を連続して符号化するといった間欠的なフレーム符号化パターンで記録することが可能である。
【先行技術文献】
【特許文献】
【０００４】
【特許文献１】特開２００８−２８８９３４号公報
【発明の概要】
【発明が解決しようとする課題】
【０００５】
しかし、上記の可変フレーム周波数記録およびインターバル動画記録を行う際、ユーザが撮影装置およびリモート撮影端末の液晶パネルなどで確認できる画像はリアルタイム画像のみである。ユーザは、スローモーション効果・クイックモーション効果を確認しながら撮影ができず、撮影後に再生を行うことでしか効果を確認できない。
【０００６】
本発明の目的は、スローモーション映像またはクイックモーション映像の映像記録処理時に、スローモーション映像またはクイックモーション映像を表示することができるようにすることである。
【課題を解決するための手段】
【０００７】
本発明の撮像装置は、撮像部と、前記撮像部からの映像データを、再生フレームレートと異なる記録フレームレートで映像記録処理を行うことが可能な映像記録手段と、を備える撮像装置であって、前記再生フレームレートと異なる記録フレームレートで前記映像記録処理を行う場合に、前記記録フレームレートと前記再生フレームレートの比に対応する倍速率で、前記撮像部からの映像データに基づく表示画像を表示手段に順次表示するように制御する表示制御手段であって、所定のタイミングで、前記表示手段に表示される表示画像を調整する表示制御手段を有する。
【発明の効果】
【０００８】
本発明によれば、スローモーション映像またはクイックモーション映像の映像記録処理時に、スローモーション映像またはクイックモーション映像を表示することができる。
【図面の簡単な説明】
【０００９】
【図１】撮像装置の外観図である。
【図２】撮像装置の構成例を示すブロック図である。
【図３】スローモーション／クイックモーション記録の例を示す図である。
【図４】撮像装置の制御方法を示すフローチャートである。
【図５】クイックモーション記録の例を示す図である。
【図６】スローモーション記録の例を示す図である。
【図７】スローモーション／クイックモーション記録の例を示す図である。
【発明を実施するための形態】
【００１０】
図１は、本発明の実施形態に係る撮像装置１００の外観例を示す図である。撮像装置１００は、主電源のオン／オフを操作するための電源ボタン１０１、表示パネル１０２およびカメラ部１０３を有する。撮像装置１００は、電源ボタン１０１がオンに操作され、起動後、撮影準備状態になる。表示パネル１０２は、カメラ部１０３により撮影されたスルー画像（ライブ画像）と、アイコン等のオンスクリーンディスプレイ（ＯＳＤ）表示を表示する。また、表示パネル１０２は、その表面にタッチ操作受付可能なタッチパネルを有する。カメラ部１０３は、レンズ、メカシャッタ機構、ＣＭＯＳセンサ、ジャイロ等を備え、レンズによりＣＭＯＳセンサ上に結像した画像をアナログ／デジタル変換によりデジタル化して画像データを取得し、信号処理部に出力する。
【００１１】
撮像装置１００は、静止画を撮影するためのシャッタボタン１０４を有し、シャッタボタン１０４の操作により、撮影した画像を記録用カード１０５に記録する。記録用カードは、メモリカードである。モードダイヤル１０６は、静止画および動画の撮影モードを設定可能である。撮像装置１００は、ズームレバー、動画撮影ボタン、十字ボタン、ＭＥＮＵボタン、ＦＵＮＣボタン、撮影／再生切換スイッチ等の各種操作ボタン１０７を有し、様々なカメラ制御操作が可能である。撮像装置１００の筐体下部には、バッテリ１０８、および、バッテリ１０８および記録用カード１０５用の蓋１０９が設けられる。さらに、撮像装置１００は、外部接続用端子１１０を有する。外部接続用端子１１０は、接続ケーブル１１１を介して、ＵＳＢ、Ｗｉ−Ｆｉモジュール等の外部接続が可能である。
【００１２】
図２は、撮像装置１００の構成例を示すブロック図である。主制御部２０１は、マイクロコンピュータを有し、プログラム、記憶部２０２の情報、操作制御部２０８からの情報などに従って、撮像装置１００の各部を制御する。また、主制御部２０１は、信号処理部２０４および音声処理部２０６により符号化されたデータをＭＰ４などのファイルフォーマットに多重化し、記録媒体制御部２１１を介して記録媒体２１２に記録指示する。記憶部２０２は、撮像部２０３により生成された画像データ、および符号化された画像データを一時記憶する。また、記憶部２０２は、主制御部２０１で演算される各種データを記憶する。
【００１３】
撮像部２０３は、図１のカメラ部１０３に相当し、画像データを入力する入力手段として機能し、被写体を撮影して画像データを生成する。信号処理部２０４は、記録時に撮像部２０３により生成された画像データに所定の処理を施すと共に、ＪＰＥＧ形式（静止画）またはＭＰＥＧ形式（動画）等に従って符号化する。また、信号処理部２０４は、再生時には、符号化されたデータを再生画像データへ復号する。
【００１４】
マイク２０５は、外部の音声を入力し、音声信号を生成する。音声処理回路２０６は、マイク２０６からの音声信号をアナログ／デジタル変換し、音声符号化処理を行う。
【００１５】
操作部２０７は、図１の電源ボタン１０１、シャッタボタン１０４、モードダイヤル１０６、各種操作ボタン１０７等の操作ボタン、および表示パネル１０２上に配置されるタッチパネル等に相当する。操作制御部２０８は、操作部２０７の操作に応じて、主制御部２０１に操作情報（イベント）を通知する。
【００１６】
表示部２０９は、図１の表示パネル１０２に相当する。表示制御部２１０は、撮影時には、撮像部２０３により生成された動画データに係る画像を、表示部２０９に表示し、再生時には、再生動画データに係る画像を表示部２０９に表示する。また、表示制御部２１０は、撮影画像およびメニュー画面等の各種の情報を表示部２０９に表示する。
【００１７】
記録媒体２１２は、図１の記録用カード１０５に相当する。記録媒体制御部２１１は、信号処理部２０４により符号化されたＪＰＥＧ形式（静止画）またはＭＰＥＧ形式（動画）等のデータを、記録媒体２１２に記録し、また、記録媒体２１２から動画データを読み出す。記録媒体２１２は、例えばメモリカードであり、ランダムアクセス可能な記録媒体である。また、記録媒体制御部２１１は、ＦＡＴファイルシステム等の公知のファイルシステムに従い、記録媒体２１２に記録する各種のデータをファイルとして管理する。
【００１８】
データバス２１３は、各部の間でデータまたはコマンドを送受信する。外部接続制御部２１４は、パーソナルコンピュータによるＰＴＰ接続やＷｉ−Ｆｉ接続などの各種通信プロトコルに応じて、図１の外部接続用端子１１０を経由して、外部接続制御を行う。
【００１９】
次に、図３（ａ）および（ｂ）を用いて、撮像装置１００のスローモーション／クイックモーション記録時のフレーム選択制御の例を、撮像部２０３の出力および記録データ、再生時効果を含めて説明する。
【００２０】
図３（ａ）は、２倍クイックモーション記録の例を示す図である。撮像部２０３は、映像データ用フレーム３０１を出力する。映像データ用フレーム３０１は、フレームレートが６０ｆｐｓ（１秒間に６０フレーム）である。信号処理部２０４は、撮像部２０３の映像データ用フレーム３０１を１／２に間引き、１秒間に３０フレームの記録データ用フレーム３０２を生成する。そして、信号処理部２０４は、記録データ用フレーム３０２を符号化する。記録媒体制御部２１１は、その符号化された記録データ用フレーム３０２を記録媒体２１２に記録する。以上のように、信号処理部２０４は、映像記録手段であり、撮像部２０３からの映像データ用フレーム３０１を、３０ｆｐｓの記録フレームレートで映像記録処理を行う。
【００２１】
同様に、音声処理部２０６は、マイク２０５の音声信号に対して、サンプリング数を１／２に間引いてサンプリングを行い、時間圧縮した音声データを生成し、符号化する。
【００２２】
次に、再生時効果を説明する。記録媒体制御部２１１は、符号化された記録データ用フレーム３０２を記録媒体２１２から読み出す。信号処理部２０４は、その符号化された記録データ用フレーム３０２を復号し、再生データ用フレーム３０３を生成する。そして、信号処理部２０４は、その再生データ用フレーム３０３を６０ｆｐｓの再生フレームレートで表示制御部２１０に出力する。再生フレームレートは、上記の記録フレームレートと異なる。再生データ用フレーム３０３は、撮像部２０３の映像データ用フレーム３０１に対して、２倍のクイックモーション効果が付加された画像データになる。表示制御部２１０は、２倍クイックモーション動画として、再生データ用フレーム３０３の３０フレームを０．５秒で表示部２０９に表示する。クイックモーション動画の倍速率は、記録フレームレート（３０ｆｐｓ）に対する再生フレームレート（６０ｆｐｓ）の比（２倍）に対応する。
【００２３】
なお、信号処理部２０４が、撮像部２０３の映像データ用フレーム３０１を１／２に間引くことにより、記録データ用フレーム３０２のフレームレートを３０ｆｐｓとする場合に限定されず、撮像部２０３が３０ｆｐｓのフレームを出力してもよい。その場合、信号処理部２０４は、上記と同様に、記録データ用フレーム３０２を符号化し、再生データ用フレーム３０３を主制御部２０１に出力する。
【００２４】
図３（ｂ）は、１／２倍スローモーション記録の例を示す図である。撮像部２０３は、映像データ用フレーム３０７を出力する。映像データ用フレーム３０７は、フレームレートが１２０ｆｐｓである。信号処理部２０４は、撮像部２０３の映像データ用フレーム３０７のすべてを記録データ用フレーム３０８とする。そして、信号処理部２０４は、１秒間に１２０フレームの記録データ用フレーム３０８を符号化する。記録媒体制御部２１１は、その符号化された記録データ用フレーム３０８を記録媒体２１２に記録する。記録フレームレートは、１２０ｆｐｓである。
【００２５】
同様に、音声処理部２０６は、マイク２０５の音声信号に対して、サンプリング数を２倍にしてサンプリングを行い、時間伸長した音声データを生成し、符号化する。
【００２６】
次に、再生時効果を説明する。記録媒体制御部２１１は、符号化された記録データ用フレーム３０８を記録媒体２１２から読み出す。信号処理部２０４は、その符号化された記録データ用フレーム３０８を復号し、再生データ用フレーム３０９を生成する。そして、信号処理部２０４は、その再生データ用フレーム３０９を６０ｆｐｓの再生フレームレートで表示制御部２１０に出力する。再生データ用フレーム３０９は、撮像部２０３の映像データ用フレーム３０７に対して、１／２倍のスローモーション効果が付加された画像データになる。表示制御部２１０は、１／２倍スローモーション動画として、再生データ用フレーム３０９の６０フレームを１秒で表示部２０９に表示する。スローモーション動画の倍速率は、記録フレームレート（１２０ｆｐｓ）に対する再生フレームレート（６０ｆｐｓ）の比（１／２倍）に対応する。
【００２７】
図４は、撮像装置１００の制御方法を示すフローチャートである。主制御部２０１は、信号処理部２０４により生成された記録データ用フレーム３０２または３０８を記憶部２０２に蓄積する。記憶部２０２は、バッファ手段であり、記録データ用フレーム３０２または３０８をバッファリングする。主制御部２０１は、図４の処理により、表示制御部２１０に所定タイミングで記録データ用フレームを表示制御部２１０に表示指示して表示部２０９に表示する。これにより、撮像装置１００は、クイックモーション動画またはスローモーション動画を簡易表示する。
【００２８】
まず、ステップＳ４０１において、主制御部２０１は、フレーム蓄積速度がフレーム再生速度より小さいか否かを判定する。フレーム蓄積速度は、主制御部２０１が、信号処理部２０４により生成された記録データ用フレーム３０２または３０８を記憶部２０２に蓄積する速度であり、記録データ用フレーム３０２または３０８のフレームレートである。フレーム再生速度は、信号処理部２０４が再生データ用フレーム３０３または３０９を表示制御部２１０に表示指示して表示部２０９に表示する速度であり、再生データ用フレーム３０３または３０９のフレームレートである。主制御部２０１は、フレーム蓄積速度がフレーム再生速度より小さい場合には、ステップＳ４０２に進み、フレーム蓄積速度がフレーム再生速度より小さくない場合には、ステップＳ４１０に進む。
【００２９】
図３（ａ）の場合、フレーム蓄積速度は、記録データ用フレーム３０２のフレームレート（３０ｆｐｓ）であり、フレーム再生速度は、再生データ用フレーム３０３のフレームレート（６０ｆｐｓ）である。その場合、主制御部２０１は、ステップＳ４０１からステップＳ４０２に進む。
【００３０】
図３（ｂ）の場合、フレーム蓄積速度は、記録データ用フレーム３０８のフレームレート（１２０ｆｐｓ）であり、フレーム再生速度は、再生データ用フレーム３０９のフレームレート（６０ｆｐｓ）である。その場合、主制御部２０１は、ステップＳ４０１からステップＳ４１０に進む。
【００３１】
ステップＳ４０２において、主制御部２０１は、ステップＳ４０２およびＳ４０９のループ端に囲まれているステップＳ４０３ないしＳ４０９の処理を、撮影する間かつスローモーション／クイックモーション倍速率が変更されない間、繰り返す。
【００３２】
ステップＳ４０２において、主制御部２０１は、撮影モードがオン状態であり、かつ、スローモーション／クイックモーション倍速率が変更されていないことの条件を満たすか否かを判定する。撮影モードは、撮影中または撮影待機状態であり、画面にリアルタイムなスルー画表示またはスローモーション／クイックモーション画像を表示する状態である。主制御部２０１は、上記の条件を満たす場合には、ステップＳ４０３に進み、上記の条件を満たさない場合には、ステップＳ４１５に進む。
【００３３】
ステップＳ４０３において、主制御部２０１は、記憶部２０２に蓄積された記録データ用フレーム３０２の数が所定の蓄積数（第１の閾値）以上であるか否かを判定する。主制御部２０１は、記録データ用フレーム３０２の数が第１の閾値以上である場合には、ステップＳ４０４に進み、記録データ用フレーム３０２の数が第１の閾値以上でない場合には、ステップＳ４０５に進む。
【００３４】
ステップＳ４０４において、主制御部２０１は、表示制御部２１０に対してフレーム表示処理を行うための表示更新フラグをセットし、ステップＳ４０５に進む。なお、初期時、表示更新フラグは、クリアされている。
【００３５】
ステップＳ４０５において、主制御部２０１は、表示更新フラグがセットされているか否かを判定する。主制御部２０１は、表示更新フラグがセットされている場合には、ステップＳ４０６に進み、表示更新フラグがセットされていない場合には、ステップＳ４０７に進む。
【００３６】
ステップＳ４０６において、主制御部２０１は、クイックモーション倍速率に応じたフレームレートで、記憶部２０２から取得した記録データ用フレーム３０２を表示制御部２１０に出力する。表示制御部２１０は、記録データ用フレーム３０２に基づく表示画像を、クイックモーション画像の倍速率で、表示部２０９に表示するように制御する。
【００３７】
ステップＳ４０７において、主制御部２０１は、記憶部２０２に蓄積された記録データ用フレーム３０２のうちの第１の閾値のフレーム数のフレームをすべて表示したか否かを判定する。主制御部２０１は、すべて表示した場合には、ステップＳ４０８に進み、すべて表示していない場合には、ステップＳ４０９に進む。
【００３８】
ステップＳ４０８において、主制御部２０１は、ステップＳ４０４においてセットされた表示更新フラグをクリアする。ステップＳ４０９は、ループ端であり、主制御部２０１は、ステップＳ４０２に戻り、上記の処理を繰り返す。
【００３９】
図３（ａ）の場合、ステップＳ４０３の第１の閾値は、８フレームである。主制御部２０１は、ステップＳ４０２ないしＳ４０９の繰り返し処理を行う。撮像部２０３が映像データ用フレーム３０１としてフレーム番号１５を出力した時点で、主制御部２０１は、８フレームの記録データ用フレーム３０２を記憶部２０２に蓄積している。この場合、主制御部２０１は、ステップＳ４０３からステップＳ４０４に進む。ステップＳ４０６において、主制御部２０１は、８フレームの表示データ用フレーム３０４を表示制御部２１０に出力する。表示制御部２１０は、２倍クイックモーション動画として、８フレームの表示データ用フレーム３０４を表示部２０９に表示する。
【００４０】
次に、撮像部２０３が映像データ用フレーム３０１としてフレーム番号３１を出力した時点で、主制御部２０１は、ステップＳ４０３からステップＳ４０４に進む。ステップＳ４０６において、主制御部２０１は、８フレームの表示データ用フレーム３０５を表示制御部２１０に出力する。表示制御部２１０は、２倍クイックモーション動画として、８フレームの表示データ用フレーム３０５を表示部２０９に表示する。
【００４１】
次に、撮像部２０３が映像データ用フレーム３０１としてフレーム番号４７を出力した時点で、主制御部２０１は、ステップＳ４０３からステップＳ４０４に進む。ステップＳ４０６において、主制御部２０１は、８フレームの表示データ用フレーム３０６を表示制御部２１０に出力する。表示制御部２１０は、２倍クイックモーション動画として、８フレームの表示データ用フレーム３０６を表示部２０９に表示する。
【００４２】
以上のように、再生フレームレートよりも記録フレームレートの方が遅く、クイック再生する場合に、主制御部２０１は、所定のタイミングまでは同じ画像を表示させ、所定のタイミングからは、クイック再生をするように制御する。主制御部２０１は、所定のタイミングまでは同じ画像を表示させ、所定のタイミングからは、記録フレームレートと再生フレームレートの比に対応する倍速率で、撮像部２０３からの映像データに基づく表示画像を順次表示するように制御する。主制御部２０１は、所定のタイミングから、所定のフレーム数だけ撮像部２０３からの映像データに基づく表示画像を順次表示させ、その後、最後のフレームに対応する表示画像を次の所定のタイミングまで表示させるように制御する。
【００４３】
所定のタイミングは、周期的なタイミングであり、記録フレームレートに応じて決定されるタイミングである。また、所定のタイミングは、表示部２０９に表示される表示画像に対応する映像データから実時間に対応する映像データまでのフレーム数が所定量となるタイミングである。所定量は、倍速率に応じて異なる値である。
【００４４】
なお、第１の閾値は、８フレームの固定値である場合を例に説明したが、これに限定されない。主制御部２０１は、実時間からの差異に応じて、第１の閾値を変更してもよい。例えば、主制御部２０１は、クイックモーション倍速率によらず、常に１０秒で蓄積された画像を表示するような第１の閾値を設定することにより、クイックモーション倍速率が大きい場合に再生される確認画像の実時間からの遅延を所定範囲内に収めることができる。
【００４５】
また、簡易表示の表示データ用フレーム３０４、３０５、３０６の表示期間は、簡易表示が行われない区間を含む。そのため、主制御部２０１は、非表示期間内に過去の記録媒体２１２等に記録された動画データを再生してもよい。また、主制御部２０１は、非表示期間に同一フレーム列を繰り返し再生してもよい。また、主制御部２０１は、最終表示フレームを継続して表示し続けてもよい。
【００４６】
ステップＳ４１０において、主制御部２０１は、ステップＳ４１０およびＳ４１４のループ端に囲まれているステップＳ４１１ないしＳ４１３の処理を、撮影する間かつスローモーション／クイックモーション倍速率が変更されない間、繰り返す。
【００４７】
ステップＳ４０２において、主制御部２０１は、撮影モードがオン状態であり、かつ、スローモーション／クイックモーション倍速率が変更されていないことの条件を満たすか否かを判定する。主制御部２０１は、上記の条件を満たす場合には、ステップＳ４１１に進み、上記の条件を満たさない場合には、ステップＳ４１５に進む。
【００４８】
ステップＳ４１１において、主制御部２０１は、スローモーション倍速率に応じたフレームレートで、記憶部２０２から取得した記録データ用フレーム３０８を表示制御部２１０に出力する。表示制御部２１０は、記録データ用フレーム３０８に基づく表示画像を、スローモーション画像の倍速率で、表示部２０９に表示するように制御する。
【００４９】
ステップＳ４１２において、主制御部２０１は、記憶部２０２に蓄積された記録データ用フレーム３０８の数が所定の蓄積最大数（第２の閾値）以上であるか否かを判定する。主制御部２０１は、記録データ用フレーム３０８の数が第２の閾値以上である場合には、ステップＳ４１３に進み、記録データ用フレーム３０８の数が第２の閾値以上でない場合には、ステップＳ４１４に進む。
【００５０】
ステップＳ４１３において、主制御部２０１は、記憶部２０２に蓄積されている記録データ用フレーム３０８を削除する。ステップＳ４１４は、ループ端であり、主制御部２０１は、ステップＳ４１０に戻り、上記の処理を繰り返す。
【００５１】
図３（ｂ）の場合、ステップＳ４１２の第２の閾値は、１５である。主制御部２０１は、ステップＳ４１０ないしＳ４１４の繰り返し処理を行う。ステップＳ４１１において、主制御部２０１は、表示データ用フレーム３１０のフレーム番号１〜１５の表示処理を行う。ステップＳ４１１において、主制御部２０１が表示データ用フレーム３１０のフレーム番号１５を出力した時点で、記憶部２０２に蓄積されている記録データ用フレーム３０８は、フレーム番号１６〜３０の計１５フレームである。その場合、主制御部２０１は、ステップＳ４１２からステップＳ４１３に進む。ステップＳ４１３において、主制御部２０１は、記憶部２０２に蓄積されている記録データ用フレーム３０８のフレーム番号１６〜３０のフレームを削除する。そのため、次のステップＳ４１１において、主制御部２０１は、表示データ用フレーム３１０に示すように、フレーム番号３１から表示処理を行う。
【００５２】
再生フレームレートよりも記録フレームレートの方が速く、スロー再生する場合に、主制御部２０１は、所定のタイミングで、実時間に対応する表示画像を表示部２０９に表示させることにより、一部の期間の映像データを表示させない。主制御部２０１は、記憶部２０２にバッファされた映像データに基づく表示画像を表示部２０９に表示させるように制御する。主制御部２０１は、所定のタイミングで、実時間に対応する表示画像を表示部２０９に表示させるとともに、記憶部２０２にバッファリングされている映像データを削除するように制御する。主制御部２０１は、再生フレームレートよりも記録フレームレートの方が速く、スロー再生する場合には、所定のタイミングで、実時間に対応する表示画像を表示部２０９に表示させるように制御する。
【００５３】
なお、第２の閾値は、１５フレームの固定値である場合を例に説明したが、これに限定されない。主制御部２０１は、実時間からの差異に応じて、第２の閾値を変更してもよい。例えば、主制御部２０１は、スローモーション倍速率によらず、常に２秒で蓄積された画像を表示するような第２の閾値を設定する。これにより、撮像装置１００は、スローモーション倍速率が小さい（スロー効果が大きい）場合に再生される確認画像の実時間からの遅延を所定範囲内に収めることができる。
【００５４】
図４のステップＳ４１５において、主制御部２０１は、記憶部２０２に蓄積されている記録データ用フレーム３０２または３０８の削除処理を行い、ステップＳ４１６に進む。
【００５５】
ステップＳ４１６において、主制御部２０１は、記録モードがオン状態であるか否かを判定する。主制御部２０１は、記録モードがオン状態である場合には、ステップＳ４０１に戻り、記録モードがオン状態でない場合には、図４の処理を終了する。
【００５６】
撮像装置１００は、スローモーション／クイックモーション倍速率を撮影中に切り替えることができる。以下、図５（ａ）および（ｂ）を参照しながら、スローモーション／クイックモーション倍速率の切り替え方法を説明する。
【００５７】
図５（ａ）は、４倍クイックモーション記録から２倍クイックモーション記録に切り替えて撮影する際の処理の一例を示す図である。４倍クイックモーション記録では、撮像部２０３は、６０ｆｐｓの映像データ用フレーム３１２を出力する。信号処理部２０４は、映像データ用フレーム３１２を１／４に間引き、記録データ用フレーム３１４を生成する。記録データ用フレーム３１４は、映像データ用フレーム３１２に対して、フレーム数が１／４であり、再生時に４倍クイックモーション効果を有する。信号処理部２０４は、記録データ用フレーム３１４を符号化し、記録媒体制御部２１１は、符号化された記録データ用フレーム３１４を記録媒体２１２に記録する。
【００５８】
同様に、音声処理部２０６は、マイク２０５の音声信号に対して、サンプリング数を１／４に間引いてサンプリングを行い、時間圧縮した音声データを生成し、符号化する。
【００５９】
次に、主制御部２０１は、４倍クイックモーション記録から２倍クイックモーション記録に切り替える。撮像部３１３は、６０ｆｐｓの映像データ用フレーム３１３を出力する。信号処理部２０４は、映像データ用フレーム３１３を１／２に間引き、記録データ用フレーム３１５を生成する。記録データ用フレーム３１５は、映像データ用フレーム３１３に対して、フレーム数が１／２であり、再生時に２倍クイックモーション効果を有する。信号処理部２０４は、記録データ用フレーム３１５を符号化し、記録媒体制御部２１１は、符号化された記録データ用フレーム３１５を記録媒体２１２に記録する。
【００６０】
同様に、音声処理部２０６は、マイク２０５の音声信号に対して、サンプリング数を１／２に間引いてサンプリングを行い、時間圧縮した音声データを生成し、符号化する。
【００６１】
次に、再生時効果を説明する。記録媒体制御部２１１は、符号化された記録データ用フレーム３１４を記録媒体２１２から読み出す。信号処理部２０４は、その符号化された記録データ用フレーム３１４を復号し、再生データ用フレーム３１６ａを生成する。そして、信号処理部２０４は、その再生データ用フレーム３１６ａを６０ｆｐｓのフレーム周波数で表示制御部２１０に出力する。再生データ用フレーム３１６ａは、撮像部２０３の映像データ用フレーム３１２に対して、４倍のクイックモーション効果が付加された画像データになる。表示制御部２１０は、４倍クイックモーション動画として、再生データ用フレーム３１６ａを表示部２０９に表示する。
【００６２】
同様に、記録媒体制御部２１１は、符号化された記録データ用フレーム３１５を記録媒体２１２から読み出す。信号処理部２０４は、その符号化された記録データ用フレーム３１５を復号し、再生データ用フレーム３１６ｂを生成する。そして、信号処理部２０４は、その再生データ用フレーム３１６ｂを６０ｆｐｓのフレーム周波数で表示制御部２１０に出力する。再生データ用フレーム３１６ｂは、撮像部２０３の映像データ用フレーム３１３に対して、２倍のクイックモーション効果が付加された画像データになる。表示制御部２１０は、２倍クイックモーション動画として、再生データ用フレーム３１６ｂを表示部２０９に表示する。
【００６３】
以上のように、撮像装置１００は、クイックモーション倍速率を切り替えて記録することにより、クイックモーション倍速率を切り替えた再生データ用フレーム３１６ａおよび３１６ｂを生成する。
【００６４】
主制御部２０１は、図４の処理により、信号処理部２０４により生成された記録データ用フレーム３１４を記憶部２０２に保持し、表示制御部２１０に所定タイミングで表示データ用フレーム３１７および３１８を表示指示して表示部２０９に表示する。表示部２０９は、４倍クイックモーション動画として、表示データ用フレーム３１７および３１８を簡易表示する。図５（ａ）の場合、第１の閾値は、４フレームである。撮像部２０３が出力３１２のフレーム番号１３を出力した時点で、主制御部２０１は、ステップＳ４０３からステップＳ４０４に進む。ステップＳ４０６において、主制御部２０１は、４フレームの表示データ用フレーム３１７の表示処理を行う。同様に、撮像部２０３が映像データ用フレーム３１２のフレーム番号２９を出力した時点で、主制御部２０１は、４フレームの表示データ用フレーム３１８の表示処理を行う。同様に、撮像部２０３が映像データ用フレーム３１３のフレーム番号３７を出力した時点で、主制御部２０１は、４フレームの表示データ用フレーム３１９の表示処理を行う。表示データ用フレーム３２０および３２１も同様である。
【００６５】
なお、上記のように、第１の閾値は、実時間からの差異に応じて変更可能である。以下、図５（ｂ）を参照しながら、第１の閾値を変更する例を示す。
【００６６】
図５（ｂ）は、４倍クイックモーション記録から２倍クイックモーション記録に切り替えて撮影した際の処理の一例を示す図である。撮像部２０３の映像データ用フレーム３２２および３２３は、それぞれ、図５（ａ）の撮像部２０３の映像データ用フレーム３１２および３１３と同じである。記録データ用フレーム３２４および３２５は、それぞれ、図５（ａ）の記録データ用フレーム３１４および３１５と同じである。再生データ用フレーム３２６ａおよび３２６ｂは、それぞれ、図５（ａ）の再生データ用フレーム３１６ａおよび３１６ｂと同じである。
【００６７】
次に、撮影確認画像について説明する。主制御部２０１は、簡易表示が実時間から０．５秒程度以内の差異となるように、第１の閾値を変更する。主制御部２０１は、４倍クイックモーション記録時には、第１の閾値を４フレームに設定し、２倍クイックモーション記録時には、第１の閾値を８フレームに設定する。第１の閾値は、クイックモーション倍速率に反比例した値とする。
【００６８】
主制御部２０１は、信号処理部２０４により生成された記録データ用フレーム３２４および３２５を記憶部２０２に保持し、図４の処理により、表示制御部２１０に所定タイミングで表示データ用フレーム３２７〜３３０を表示指示して表示部２０９に表示する。主制御部２０１は、４フレームの第１の閾値を用いて、記録データ用フレーム３２４から、４フレーム単位の表示データ用フレーム３２７および３２８を生成する。また、主制御部２０１は、８フレームの第１の閾値を用いて、記録データ用フレーム３２５から、８フレーム単位の表示データ用フレーム３２９および３３０を生成する。表示部２０９は、４倍クロックモーション動画として表示データ用フレーム３２７および３２８を簡易表示し、２倍クイックモーション動画として表示データ用フレーム３２９および３３０を簡易表示する。その結果、簡易表示される表示データ用フレーム３２７〜３３０は、映像データ用フレーム３２２および３２３の実時間からの差異を０．５秒程度以内に収めることが可能となる。
【００６９】
主制御部２０１および表示制御部２１０は、所定のタイミングで、表示部２０９に表示される表示画像の更新を一時停止するように制御する。主制御部２０１および表示制御部２１０は、表示部２０９に表示される表示画像に対応する映像データから実時間に対応する映像データまでのフレーム数が所定量となるか否かを判定する。所定量となる場合には、主制御部２０１および表示制御部２１０は、表示部２０９に表示される表示画像の更新を一時停止するように制御する。主制御部２０１および表示制御部２１０は、表示部２０９に表示される表示画像に対応する時間と実時間との差が所定量となる場合に、表示部２０９に表示される表示画像の更新を一時停止するように制御する。所定量は、倍速率に応じて異なる値である。主制御部２０１および表示制御部２１０は、所定の周期毎に、表示部２０９に表示される表示画像の更新を一時停止するように制御する。
【００７０】
図６は、１／２倍スローモーション記録から１／４倍スローモーション記録にスローモーション倍速率を変更した例を示す図である。
【００７１】
１／２倍スローモーション記録時には、撮像部２０３は、１２０ｆｐｓの映像データ用フレーム３３１を出力する。信号処理部２０４は、映像データ用フレーム３３１をそのまま記録データ用フレーム３３８として生成する。再生時には、信号処理部２０４は、６０ｆｐｓの再生データ用フレーム３３３を表示制御部２１０に出力する。表示部２０９は、１／２倍スローモーション動画として、再生データ用フレーム３３３を表示する。
【００７２】
１／４倍スローモーション記録時には、撮像部２０３は、２４０ｆｐｓの映像データ用フレーム３３２を出力する。信号処理部２０４は、映像データ用フレーム３３２をそのまま記録データ用フレーム３３９として生成する。再生時には、信号処理部２０４は、６０ｆｐｓの再生データ用フレーム３４０を表示制御部２１０に出力する。表示部２０９は、１／４倍スローモーション動画として、再生データ用フレーム３４０を表示する。
【００７３】
次に、撮影確認画像について説明する。主制御部２０１は、実時間からの差異が０．２５秒程度以内となるように、第２の閾値を設定する。主制御部２０１は、１／２倍スローモーション記録時には、第２の閾値を１５フレームに設定し、１／４倍スローモーション記録時には、第２の閾値を４５フレームに設定する。
【００７４】
主制御部２０１は、信号処理部２０４により生成された記録データ用フレーム３３８および３３９を記憶部２０２に保持し、図４の処理により、表示制御部２１０に所定タイミングで表示データ用フレーム３３４〜３３７を表示指示して表示部２０９に表示する。主制御部２０１は、１５フレームの第２の閾値を用いて、記録データ用フレーム３３８から、表示データ用フレーム３３４および３３５を生成する。また、主制御部２０１は、４５フレームの第２の閾値を用いて、記録データ用フレーム３３９から、表示データ用フレーム３３６および３３７を生成する。表示部２０９は、１／２倍スローモーション動画として表示データ用フレーム３３４および３３５を簡易表示し、１／４倍スローモーション動画として表示データ用フレーム３３６および３３７を簡易表示する。その結果、簡易表示される表示データ用フレーム３３４〜３３７は、映像データ用フレーム３３１および３３２の実時間からの差異を０．２５秒程度以内に収めることが可能となる。
【００７５】
主制御部２０１が表示データ用フレーム３３４のフレーム番号１５を表示した時点で、記憶部２０２に蓄積されているフレームは、フレーム番号１６〜３０の計１５フレームである。その場合、主制御部２０１は、ステップＳ４１２からステップＳ４１３に進む。ステップＳ４１３において、主制御部２０１は、フレーム番号１６〜３０のフレームの削除処理を行う。そのため、次のステップＳ４１１において、主制御部２０１は、表示データ用フレーム３３５のように、フレーム番号３１から表示処理を行う。
【００７６】
同様に、主制御部２０１が表示データ用フレーム３３５のフレーム番号４５を表示した時点で、記憶部２０２に蓄積されているフレームは、フレーム番号４６〜６０の計１５フレームである。その場合、主制御部２０１は、ステップＳ４１２からステップＳ４１３に進む。ステップＳ４１３において、主制御部２０１は、フレーム番号４６〜６０のフレームの削除処理を行う。そのため、次のステップＳ４１１において、主制御部２０１は、表示データ用フレーム３３６のように、フレーム番号６１から表示処理を行う。
【００７７】
映像データ用フレーム３３２の開始時点で、１／４倍スローモーション記録に切り替えが行われると、主制御部２０１は、第２の閾値を４５フレームに設定する。主制御部２０１が表示データ用フレーム３３６のフレーム番号７５を表示した時点で、記憶部２０２に蓄積されているフレームは、フレーム番号７６〜１２０の計４５フレームである。その場合、主制御部２０１は、ステップＳ４１２からステップＳ４１３に進む。ステップＳ４１３において、主制御部２０１は、フレーム番号７６〜１２０のフレームの削除処理を行う。そのため、次のステップＳ４１１において、主制御部２０１は、表示データ用フレーム３３７のように、フレーム番号１２１から表示処理を行う。
【００７８】
同様に、主制御部２０１が表示データ用フレーム３３７のフレーム番号１３５を表示した時点で、記憶部２０２に蓄積されているフレームは、フレーム番号１３６〜１８０の計４５フレームである。その場合、主制御部２０１は、ステップＳ４１２からステップＳ４１３に進む。ステップＳ４１３において、主制御部２０１は、フレーム番号１３６〜１８０のフレームの削除処理を行う。そのため、次のステップＳ４１１において、主制御部２０１は、フレーム番号１８１から表示処理を行う。
【００７９】
主制御部２０１および表示制御部２１０は、所定のタイミングで、表示部２０９に表示される表示画像を調整する。具体的には、主制御部２０１および表示制御部２１０は、所定のタイミングで、実時間に対応する表示画像を表示部２０９に表示させるように制御する。主制御部２０１および表示制御部２１０は、表示部２０９に表示される表示画像に対応する映像データから実時間に対応する映像データまでのフレーム数が所定量となるか否かを判定する。所定量となる場合に、主制御部２０１および表示制御部２１０は、実時間に対応する映像データに基づく表示画像を表示部２０９に表示するように制御する。所定量は、倍速率に応じて異なる値である。主制御部２０１および表示制御部２１０は、所定の周期毎に、前記表示手段に表示される表示画像を、実時間に対応する表示画像に設定する。
【００８０】
ステップＳ４０１において、主制御部２０１は、信号処理部２０４が再生フレームレートよりも大きい記録フレームレートで映像記録処理を行う場合には、ステップＳ４１０に進む。ステップＳ４１０〜Ｓ４１４では、主制御部２０１および表示制御部２１０は、所定のタイミングで、表示部２０９に表示される表示画像を、実時間に対応する表示画像に設定するように制御する。
【００８１】
また、ステップＳ４０１において、主制御部２０１は、信号処理部２０４が再生フレームレートよりも小さい記録フレームレートで映像記録処理を行う場合には、ステップＳ４０２に進む。ステップＳ４０２〜Ｓ４０９では、主制御部２０１は、所定のタイミングで、表示部２０９に表示される表示画像の更新を一時停止するように制御する。
【００８２】
図７は、１／２倍スローモーション記録から２倍クイックモーション記録に変更した例を示す図である。
【００８３】
１／２倍スローモーション記録時には、撮像部２０３は、１２０ｆｐｓの映像データ用フレーム３３１を出力する。信号処理部２０４は、映像データ用フレーム３３１をそのまま記録データ用フレーム３３８として生成する。再生時には、信号処理部２０４は、６０ｆｐｓの再生データ用フレーム３３３を表示制御部２１０に出力する。表示部２０９は、１／２倍スローモーション動画として、再生データ用フレーム３３３を表示する。
【００８４】
２倍クイックモーション記録時には、撮像部２０３は、６０ｆｐｓの映像データ用フレーム３４１を出力する。信号処理部２０４は、映像データ用フレーム３４１を１／２に間引き、記録データ用フレーム３４２を生成する。再生時には、信号処理部２０４は、６０ｆｐｓの再生データ用フレーム３４３を表示制御部２１０に出力する。表示部２０９は、２倍クイックモーション動画として、再生データ用フレーム３４３を表示する。
【００８５】
次に、撮影確認画像について説明する。主制御部２０１は、実時間からの差異が１６／６０秒程度以内となるように、第１の閾値および第２の閾値を設定する。主制御部２０１は、１／２倍スローモーション記録時には、第２の閾値を１５フレームに設定し、２倍クイックモーション記録時には、第１の閾値を８フレームに設定する。
【００８６】
主制御部２０１は、信号処理部２０４により生成された記録データ用フレーム３３８および３４２を記憶部２０２に保持し、図４の処理により、表示制御部２１０に所定タイミングで表示データ用フレーム３３４〜３４５を表示指示して表示部２０９に表示する。主制御部２０１は、１５フレームの第２の閾値を用いて、記録データ用フレーム３３８から、表示データ用フレーム３３４および３３５を生成する。また、主制御部２０１は、８フレームの第１の閾値を用いて、記録データ用フレーム３４２から、表示データ用フレーム３４４および３４５を生成する。表示部２０９は、１／２倍スローモーション動画として表示データ用フレーム３３４および３３５を簡易表示し、２倍クイックモーション動画として表示データ用フレーム３４４および３４５を簡易表示する。その結果、簡易表示される表示データ用フレーム３３４，３３５，３４４，３４５は、映像データ用フレーム３３１および３４１の実時間からの差異を１６／６０秒以内に収めることが可能となる。
【００８７】
主制御部２０１が表示データ用フレーム３３４のフレーム番号１５を表示した時点で、記憶部２０２に蓄積されているフレームは、フレーム番号１６〜３０の計１５フレームである。その場合、主制御部２０１は、ステップＳ４１２からステップＳ４１３に進む。ステップＳ４１３において、主制御部２０１は、フレーム番号１６〜３０のフレームの削除処理を行う。そのため、次のステップＳ４１１において、主制御部２０１は、表示データ用フレーム３３５のように、フレーム番号３１から表示処理を行う。同様に、主制御部２０１が表示データ用フレーム３３５のフレーム番号４５を表示した時点で、記憶部２０２に蓄積されているフレームは、フレーム番号４６〜６０の計１５フレームである。その場合、主制御部２０１は、ステップＳ４１２からステップＳ４１３に進む。ステップＳ４１３において、主制御部２０１は、フレーム番号４６〜６０のフレームの削除処理を行う。
【００８８】
映像データ用フレーム３４１の開始時点で、２倍クイックモーション記録に切り替えが行われると、主制御部２０１は、第１の閾値を８フレームに設定する。主制御部２０１は、撮像部２０３の映像データ用フレーム３４１のフレーム番号６１から記憶部２０２に蓄積を開始する。主制御部２０１が映像データ用フレーム３４１のフレーム番号７５を出力した時点で、記憶部２０２に蓄積されているフレーム数は８となる。すると、主制御部２０１は、ステップＳ４０３からステップＳ４０４に進む。ステップＳ４０６において、主制御部２０１は、８フレームの表示データ用フレーム３４４の表示処理を行う。同様に、主制御部２０１が映像データ用フレーム３４１のフレーム番号９１を出力した時点で、記憶部２０２に蓄積されているフレーム数は８となる。すると、主制御部２０１は、ステップＳ４０３からステップＳ４０４に進む。ステップＳ４０６において、主制御部２０１は、８フレームの表示データ用フレーム３４５の表示処理を行う。
【００８９】
上述した例では、２倍クイックモーション記録時の第１の閾値を８フレームとしたため、表示部２０９は、およそ０．２７秒周期で表示することになり、簡易表示の実時間からの差異が０．２５秒を超過している。ただし、主制御部２０１は、簡易表示開始毎に、８フレームと７フレームを交互に切り替えて第１の閾値として設定することにより、表示部２０９の表示を０．２５秒周期に近づけることができる。
【００９０】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００９１】
また、上述の実施形態の機能を実現するソフトウェアのプログラムを、記録媒体から直接、或いは有線／無線通信を用いてプログラムを実行可能なコンピュータを有するシステムまたは装置に供給し、そのプログラムを実行する場合も本発明に含む。
【００９２】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。その場合、プログラムの機能を有していれば、オブジェクトコード、インタプリタにより実行されるプログラム、ＯＳに供給するスクリプトデータ等、プログラムの形態を問わない。
【００９３】
プログラムを供給するための記録媒体としては、例えば、ハードディスク、磁気テープ等の磁気記録媒体、光／光磁気記憶媒体、不揮発性の半導体メモリでもよい。また、プログラムの供給方法としては、コンピュータネットワーク上のサーバに本発明を形成するコンピュータプログラムを記憶し、接続のあったクライアントコンピュータはがコンピュータプログラムをダウンロードしてプログラムするような方法も考えられる。
【００９４】
また、上述した実施形態では記録データ用フレームを簡易表示のために蓄積しているが、フレームデータを圧縮して小サイズ化したうえでバッファリングしても良い。また、上述した実施形態では撮像装置１００として説明したが、外部撮像装置から映像信号等の映像データを受信し表示する表示装置であってもよい。撮像装置１００は、デジタルカメラ、ビデオカメラの他、スマートフォン、タブレット、工業用カメラ、医療用カメラ等に適用可能である。
【００９５】
また、図４のステップＳ４０１において、倍速率が１の場合、ステップＳ４１０に進むとしたが、通常の等倍速率表示として別の処理を実施してもよい。主制御部２０１および表示制御部２１０は、ステップＳ４０６またはＳ４１１の表示画像と共に、撮像部２０３が出力する実時間に対応するスルー画像を表示することができる。
【００９６】
以上説明したように、撮像装置１００は、スローモーション／クイックモーション動画の撮影の際に、スローモーション／クイックモーション動画の効果を簡易的に表示部２０９に表示する。これにより、ユーザは、スローモーション／クイックモーション動画の効果をリアルタイムで確認しつつ、記録設定を行うことが可能となる。
【符号の説明】
【００９７】
２０１  主制御部、２０２  記憶部、２０３  撮像部、２０４  信号処理部、２０５  マイク、２０６  音声処理部、２０７  操作部、２０８  操作制御部、２０９  表示部、２１０  表示制御部、２１１  記録媒体制御部、２１２  記録媒体、２１３  データバス、２１４  外部接続制御部
【図１】
2019062427.tif 000003
【図２】
2019062427.tif 000004
【図３】
2019062427.tif 000005
【図４】
2019062427.tif 000006
【図５】
2019062427.tif 000007
【図６】
2019062427.tif 000008
【図７】
2019062427.tif 000009